(57)【要約】【課題】  本発明では、専用の工具を使わずにベルトの長さを調節できる連結構造を提供する。【解決手段】  平面視して方形状の切り欠き部が長手方向の左右の側面部に設けられるとともに左右の側面部を切り欠き部を介してそれぞれ長手方向に貫通する貫通孔を有する長板状の中駒と、長手方向の中心軸を貫通する貫通孔を有し切り欠き部にはめ込まれる長板状の第一および第二の連結駒と、中駒、第一および第二の連結駒のそれぞれの貫通孔を介して中駒の長手方向に挿入される連結ピンと、を有し、第一の連結駒の外側面には雌ネジ部と、第二の連結駒の外側面には雄ネジ部が設けられるとともに、中駒が隣り合う中駒と連結するために雄ネジ部と雌ネジ部がネジ結合してなる。【選択図】図１
2019166293.tif 000002
【特許請求の範囲】
【請求項１】
平面視して方形状の切り欠き部が長手方向の左右の側面部に設けられるとともに前記左右の側面部を前記切り欠き部を介してそれぞれ長手方向に貫通する貫通孔を有する長板状の中駒と、
長手方向の中心軸を貫通する貫通孔を有し前記切り欠き部にはめ込まれる長板状の第一および第二の連結駒と、
前記中駒、前記第一および第二の連結駒のそれぞれの貫通孔を介して前記中駒の長手方向に挿入される連結ピンと、を有し、
前記第一の連結駒の外側面には雌ネジ部と、前記第二の連結駒の外側面には雄ネジ部が設けられるとともに、
前記中駒が隣り合う中駒と連結するために前記雄ネジ部と雌ネジ部がネジ結合してなることを特徴とするベルト連結構造。
【請求項２】
請求項１記載のベルト連結構造において、前記第一の連結駒は上端部に方形状の位置決め溝が形成されており、前記第二の連結駒の上端部に前記位置決め溝に勘合する方形状のスライドする突起部が設けられていることを特徴とするベルト連結構造。
【請求項３】
請求項２記載のベルト連結構造において、前記突起部の操作部は第二の連結駒の側面に設けられていることを特徴とするベルト連結構造。
【発明の詳細な説明】
【技術分野】
【０００１】  この発明はピンを外さずにベルト調節可能な腕時計ベルトのベルト連結構造に関する。
【背景技術】
【０００２】  現在主流である腕時計金属ベルトの連結構造には板バネ式、割ピン式、Ｃリング式の三種類がある。この三種類の連結構造をもつ腕時計ベルトの長さを調節するには専用の工具が必要である。
【先行技術文献】
【特許文献】
【０００３】
【特許文献１】実開Ｓ５７−８５２１１
【発明の概要】
【発明が解決しようとする課題】  本発明では、専用の工具を使わずにベルトの長さを調節できる連結構造を提供する。
【課題を解決するための手段】
【０００４】  上記の目的を達成するための第一の発明に係るベルト連結構造は、平面視して方形状の切り欠き部が長手方向の左右の側面部に設けられるとともに前記左右の側面部を前記切り欠き部を介してそれぞれ長手方向に貫通する貫通孔を有する長板状の中駒と、長手方向の中心軸を貫通する貫通孔を有し前記切り欠き部にはめ込まれる長板状の第一および第二の連結駒と、前記中駒、前記第一および第二の連結駒のそれぞれの貫通孔を介して前記中駒の長手方向に挿入される連結ピンと、を有し、前記第一の連結駒の外側面には雌ネジ部と、前記第二の連結駒の外側面には雄ネジ部が設けられるとともに、前記中駒が隣り合う中駒と連結するために前記雄ネジ部と雌ネジ部がネジ結合してなる。【０００５】  第二の発明に係るベルト連結構造は、請求項１記載のベルト連結構造において、前記第一の連結駒は上端部に方形状の位置決め溝が形成されており、前記第二の連結駒の上端部に前記位置決め溝に勘合する方形状のスライドする突起部が設けられている。【０００６】  第三の発明に係るベルト連結構造は、請求項２記載のベルト連結構造において、前記突起部の操作部は第二の連結駒の側面に設けられている。
【発明の効果】
【０００７】  第一の発明においては、隣り合うバンド駒と連結するのは、中駒の両端に連結ピンを介して連結された連結駒であり、その連結構造はネジ構造である。そのため、バンド調節する際に連結ピンを取り外す必要がなくなり、また、簡単な構造のため容易に調節方法を考えることができる。【０００８】  第二の発明においては、第一の連結駒に位置決め溝および第二の連結駒にスライドする突起部を設けられているため、連結駒の取り外し時にはスライドする突起部を解除して、連結駒を回転させ取り外しまたは、取り付けが可能であり、連結後はスライドする突起部をロックすることで連結駒をネジと突起部の二つで固定することでネジの回転方向に対して位置決めすることができるため、連結駒の連結がずれることが防止できる。【０００９】  第三の発明においては、第二の連結駒の突起部の操作部を側面に設けることにより、第二の連結駒の突起部のロックと解除が容易に行うことができる。
【図面の簡単な説明】
【００１０】
【図１】本発明の一実施の形態であるベルト連結構造の斜視図である。
【図２】同ベルト連結構造での隣り合う中駒の連結された状態の説明図である。
【図３】同ベルト連結構造の連結駒の突起部と位置決め溝の説明図である。
【図４】（ａ），（ｂ）は、同ベルト連結構造の連結駒４ｂの平面図、正面図である。
【発明を実施するための形態】
【００１１】  本発明の実施例を図１から図３に基づいて説明する。
【００１２】図１は、ベルト連結構造を構成する駒本体１の斜視図であり、駒本体１は、中駒２と中駒２の切り欠き部にはめ込まれる長手方向の中心部に貫通孔を有する第一の連結駒４ａと第二の連結駒４ｂと、第一および第二の連結駒と中駒２とを貫通孔を介して連結する連結ピン３からなる。そして、駒本体１は中駒２の切り欠き部に第一の連結駒４ａと第二の連結駒４ｂとをはめ込まれて、連結駒４ａおよび４ｂの長手方向の中心部にある貫通孔と中駒２の貫通孔を介して、それぞれ連結ピン３が挿入されて構成される。また、中駒２は平面視して方形状の切り欠き部が長手方向の左右の側面部に設けられた長板状のものであり、大きさは幅約１５ｍｍ程度、長さ約２０ｍｍ程度、厚さ約２ｍｍ程度である。
【００１３】連結駒は長手方向の中心軸を貫通する貫通孔を有し中駒２の切り欠き部にはめ込まれる長板状で、第一の連結駒４ａの外側面には雌ネジ部と、第二の連結駒４ｂの外側面には雄ネジ部が設けられており、連結駒の大きさは幅約４ｍｍ程度、長さ約５ｍｍ程度、厚さ約２ｍｍ程度である。また、ネジはＭ０．７×１．５程度である。
【００１４】連結ピン３は、第一および第二の連結駒４ｂの貫通孔を介して中駒２の長手方向に挿入され連結駒と中駒２とを連結させるものであり、連結ピン３は１φで長さ約１８ｍｍ程度のものである。
そして、中駒２・連結駒・連結ピン３の材質はステンレスなどの金属である。
【００１５】図２は、隣り合う駒本体１が連結されたベルト連結構造の斜視図である。ここでは、連結駒４は、駒本体１の連結駒４ａの雌ネジ部と、隣り合う駒本体１の連結駒４ｂの雄ネジ部がネジ結合された状態を示している。その結果、隣り合う駒本体１同士は、連結駒４ａと連結駒４ｂとがネジ結合することにより連結されている。
【００１６】  図３は、それぞれにＬ字スライドバー５と位置決め溝６が設けられた連結駒の説明図である。Ｌ字スライドバー５は第二の連結駒４ｂの上端部に設けられたスライド溝７にはめ込まれ、第二の連結駒４ｂの側面から突出した操作部８を操作することによって操作される。また、Ｌ字スライドバー５は第一および第二の連結駒４ａがネジ結合した状態で操作部８を操作することにより、第二の連結駒４ａの上端部に設けられた位置決め溝６に勘合する。
【００１７】  図４（ａ）は、Ｌ字スライドバー５が設けられた連結駒の平面図である。第二の連結駒４ｂの上端部の一部が削られてスライド溝７が設けられている。そして、そのスライド溝７の上面に接してＬ字スライドバー５がはめ込まれている。そのＬ字スライドバー５の端部である操作部８を線矢印方向に操作することによって、Ｌ字スライドバー５もその方向に移動する。それによって、第一の連結駒４ａの上端に設けられた位置決め溝（図示せず）との連結を解除又は勘合することができる。なお、スライド溝７は千矢印方向の一方の壁面に対し、勘合するＬ字スライドバー５の凸部に対応する部分のみが貫通する。また、スライド溝７はスライドバーのスライドする部分に対応する部分が貫通する。
そして、Ｌ字スライドバー５の大きさは、スライド溝７に勘合する部分が長さ約０．１ｍｍ程度、幅約１ｍｍ程度、厚さ約０．５ｍｍ程度のものである。
【００１８】  図４（ｂ）は、Ｌ字スライドバー５が設けられた連結駒の正面図である。つまり、図４（ｂ）に示すように矢印方向Ａから見た図である。また、操作部８は第二の連結駒４ｂの上端に位置していることによって、Ｌ字スライドバー５および操作部８を小さくすることができる。
【産業上の利用可能性】
【００１９】  本発明は、ピンを外さずにベルト調節可能な腕時計ベルトのベルト連結構造に関し、腕時計ベルトやウェアラブル端末のベルトに応用ができる。
【符号の説明】
【００２０】  １…駒本体、２…中駒、３…連結ピン、４ａ…第一の連結駒、４ｂ…第二の連結駒、５…Ｌ字スライドバー、６…位置決め溝、７…スライド溝、８…操作部
【図１】
2019166293.tif 000003
【図２】
2019166293.tif 000004
【図３】
2019166293.tif 000005
【図４】
2019166293.tif 000006